【手続補正書】
【提出日】平成17年8月8日(2005.8.8)
【手続補正１】
【補正対象書類名】明細書
【補正対象項目名】全文
【補正方法】変更
【補正の内容】
【書類名】        明細書
【発明の名称】    通信装置、通信方法及び該方法を実行するプログラムを格納したコンピュータ読み取り可能な記録媒体
【特許請求の範囲】
【請求項１】  通信装置において、ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を着信応答時に発信側に通知する通信制御部を有することを特徴とする通信装置。
【請求項２】  前記通信制御部は、発信時にＶｏＩＰ網やＴＤＭ等の公衆電話交換網以外における信号変換が行なわれる通信網が介在する旨の通知を着信側から受けた場合、Ｔ．３０フレームの到着遅延を考慮して待ち時間を調整する請求項１記載の通信装置。
【請求項３】  通信装置において、ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を発呼時に着信側に通知する通信制御部を有することを特徴とする通信装置。
【請求項４】  前記通信制御部は、着信時にＶｏＩＰ網やＴＤＭ等の公衆電話交換網以外における信号変換が行なわれる通信網が介在する旨の通知を発信側から受けた場合、Ｔ．３０フレームの到着遅延を考慮して待ち時間を調整する請求項３記載の通信装置。
【請求項５】  ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を着信応答時に発信側に通知することを特徴とする通信方法。
【請求項６】  発信時にＶｏＩＰ網やＴＤＭ等の公衆電話交換網以外における信号変換が行なわれる通信網が介在する旨の通知を着信側から受けた場合、Ｔ．３０フレームの到着遅延を考慮して待ち時間を調整する請求項５記載の通信方法。
【請求項７】  ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を発呼時に着信側に通知することを特徴とする通信方法。
【請求項８】  着信時にＶｏＩＰ網やＴＤＭ等の公衆電話交換網以外における信号変換が行なわれる通信網が介在する旨の通知を発信側から受けた場合、Ｔ．３０フレームの到着遅延を考慮して待ち時間を調整する請求項７記載の通信方法。
【請求項９】  請求項５〜８のいずれかに記載の通信方法を実行するためのプログラムを格納したコンピュータ読み取り可能な記録媒体。
【発明の詳細な説明】
【０００１】
【発明の属する技術分野】
本発明は通信装置、通信方法及び該方法を実行するプログラムを格納したコンピュータ読み取り可能な記録媒体に関し、詳細にはＧ３ファクシミリ通信を行う通信方法に関する。
【０００２】
【従来の技術】
【特許文献１】  特開２００２−１１１９５２号公報
公衆回線網を介したＧ３ファクシミリ通信において、ＶｏＩＰ（Voice over IP）網やＴＤＭ等の装置を経由して通信が行われた場合、伝送制御上の応答が遅れたり、ネットワーク上でのデータ損失による位相ヒット等が発生し通信が成功しない場合がある。そこで、ＩＰネットワークに直接つながるネットワークファクシミリにおいては上記特許文献１で、当該伝送遅延に関する解決方法が提案されている。詳細には、相手先装置から信号を受信してから信号を送信するまでの待ち時間及び相手先装置に信号を送信して信号を受信するまでの待ち時間を、相手先装置がＩＴＵ−Ｔ勧告Ｔ．３８準拠のパケット網直結型ネットワークファクシミリ装置である場合には、第１の待ち時間に設定し、相手先装置がＩＴＵ−Ｔ勧告Ｔ．３８準拠のパケット網直結型ネットワークファクシミリ装置でない場合には第１の待ち時間より長い第２の待ち時間に設定する。
【０００３】
【発明が解決しようとする課題】
しかしながら、上記特許文献１では、通常のＧ３ファクシミリ装置に適応不可能であり、Ｇ３ファクシミリ装置においてＶｏＩＰ網やＴＤＭ等の装置を経由して通信が行なわれた場合網内で情報の損失等が発生し、それが起因で位相ヒット等がモデム信号に発生して高速モデムが発散してしまうという問題点があった。
【０００４】
本発明はこれらの問題点を解決するためのものであり、通信装置が設置されている通信網の形態に合わせて、適正にモデムを動作でき、かつ遅延を考慮した通信が行え、よって通信品質を確保できる、通信装置、通信方法及び該方法を実行するプログラムを格納したコンピュータ読み取り可能な記録媒体を提供することを目的とする。
【０００５】
【課題を解決するための手段】
前記問題点を解決するために、本発明の通信装置は、ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を着信応答時に発信側に通知する通信制御部を有している。よって、通信装置が設置されている通信網の形態に合わせて、適正にモデムを動作でき、通信品質を確保できる。
【０００６】
また、通信制御部は、発信時にＶｏＩＰ網やＴＤＭ等の公衆電話交換網以外における信号変換が行なわれる通信網が介在する旨の通知を着信側から受けた場合には、Ｔ．３０フレームの到着遅延を考慮して待ち時間を調整する。よって、通信装置が設置されている通信網の形態に合わせて遅延を考慮した通信が行え、通信品質を確保できる。
【０００７】
更に、本発明の通信装置は、ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を発呼時に着信側に通知する通信制御部を有している。よって、通信装置が設置されている通信網の形態に合わせて、適正にモデムを動作でき、通信品質を確保できる。
【０００８】
また、通信制御部は、着信時にＶｏＩＰ網やＴＤＭ等の公衆電話交換網以外における信号変換が行なわれる通信網が介在する旨の通知を発信側から受けた場合には、Ｔ．３０フレームの到着遅延を考慮して待ち時間を調整する。よって、通信装置が設置されている通信網の形態に合わせて遅延を考慮した通信が行え、通信品質を確保できる。
【０００９】
また、他の発明としての本発明の通信方法によれば、ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を着信応答時に発信側に通知する。よって、通信装置が設置されている通信網の形態に合わせて、適正にモデムを動作でき、通信品質を確保できる。
【００１０】
また、発信時にＶｏＩＰ網やＴＤＭ等の公衆電話交換網以外における信号変換が行なわれる通信網が介在する旨の通知を着信側から受けた場合には、Ｔ．３０フレームの到着遅延を考慮して待ち時間を調整する。よって、通信装置が設置されている通信網の形態に合わせて遅延を考慮した通信が行え、通信品質を確保できる。
【００１１】
更に、別の発明の通信方法によれば、ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を発呼時に着信側に通知する。よって、通信装置が設置されている通信網の形態に合わせて、適正にモデムを動作でき、通信品質を確保できる。
【００１２】
また、着信時にＶｏＩＰ網やＴＤＭ等の公衆電話交換網以外における信号変換が行なわれる通信網が介在する旨の通知を発信側から受けた場合には、Ｔ．３０フレームの到着遅延を考慮して待ち時間を調整する。よって、通信装置が設置されている通信網の形態に合わせて遅延を考慮した通信が行え、通信品質を確保できる。
【００１３】
更に、別の発明として、上記記載の通信方法を実行するためのプログラムを格納したコンピュータ読み取り可能な記録媒体に特徴がある。よって、既存のシステムを変えることなく、通信システムを汎用的に構築することができる。
【００１４】
【発明の実施の形態】
本発明の通信方法によれば、ＶｏＩＰ網やＴＤＭ等の公衆電話交換網以外における信号変換が行なわれる通信網が介在する旨の設定を使用者に対して許容し、着信応答時に発信側に通知する。
【００１５】
【実施例】
図１は本発明の一実施例に係る通信装置の構成を示すブロック図である。同図において、本実施例の通信装置１００は、読取部１０１、記録部１０２、符号化復号化部１０３、システム制御部１０４、システムメモリ１０５、画情報メモリ１０６、操作表示部１０７及び通信制御部１０８を含んで構成され、各構成要素はシステムバス１１１を介してそれぞれ接続されている。また、通信制御部１０８にはモデム１０９及びＳＷ部１１０が接続されている。そして、読取部１０１は原稿を読み取り、記録部１０２は受信した画情報やレポート等を記録する。また、符号化復号化部１０３は画情報を符号化・復号化を行う。システム制御部１０４はシステム全体の制御を司る。更に、システムメモリ１０５はシステム制御で使用する不揮発性メモリである。画情報メモリ１０６は画情報を必要に応じて蓄積保存する。操作表示部１０７はキー、ＬＥＤ、ＬＣＤ等を設けてユーザの入力操作を許す。また、通信制御部１０８は伝送制御を司り、モデム１０９は回線と通信制御部の間でアナログ信号の変調／復調を行う。更に、ＳＷ部１１０は回線との物理的なＩ／Ｆを持ち、電話機側と通信装置側との回線接続を切り替える。
【００１６】
次に、図１のような構成を有する本実施例の通信装置の動作について通信シーケンスを示す図２に従って説明する。
はじめに、送信機、受信機ともＶｏＩＰ等の変換網が介在する環境に接続されている旨（以下これをＶｏＩＰモードと称す）を予め図１の操作表示部１０７より設定を許しておく。この情報は図１のシステムメモリ１０５内に保存される。先ず、送信機の通信制御部１０８は発呼後（フェーズＦ１）、受信機からのＣＥＤ（被呼局識別信号）を受信し（フェーズＦ２）、引き続きＮＳＦ（非標準機能識別信号）／ＤＩＳ（デジタル識別信号）を受信する（フェーズＦ３）。受信機の図１の通信制御部１０８は自機がＶｏＩＰモードに設定されていた場合、その旨をＮＳＦに表示する。そして、送信機は受信機からのＮＳＦを解析して受信機がＶｏＩＰモードであるかもしくは自機がＶｏＩＰモードであった場合に応答待ちタイマのＴ４を３秒から４．５秒になるようにタイマ設定値を変更する。また、送信機の通信制御部１０９も自機がＶｏＩＰモードに設定されていた場合、その旨をＮＳＳ（非標準機能設定信号）に表示してＮＳＳを受信機に送信し（フェーズＦ４）、引き続きＴＣＦ（トレーニングチェック信号）を送信する。受信機は受信したＮＳＳにＶｏＩＰモードの表示があった場合は応答待ちタイマのＴ４を３秒から４．５秒に変更する。更に、画情報受信時に位相ヒットや瞬断に強くなるようにトレーニング終了後は等化器情報の更新を止めるように図１のモデム１０９に指示する。このモデム１０９の調整を行った後ＣＦＲ（受信準備確信信号）を送信する（フェーズＦ６）。送信機側は送信する送信画像データであるＰＩＸを送信する（フェーズＦ７）。送信が終了すると送信機は受信機にＥＯＭ（メッセージ終了信号）を送信する（フェーズＦ８）。画情報受信終了後、ポストメッセージの受信を行う（フェーズＦ９，Ｆ１０）が、それに対するレスポンス（ＭＣＦ/ＲＴＮ/ＰＰＲ等）を返す時、画情報の記録や復号化に時間がかかり即応答できない場合はポストメッセージの再送を待つ。Ｔ．３０勧告上は１．５秒以内に返答できない場合に再送を待つように規定されているが、送信機がＶｏＩＰモードであった場合は５００ミリ秒以内に返答できないと再送を待つようにする。このようにすることにより、ポストメッセージとレスポンスの衝突を回避することができる。そして、フェーズＦ１〜Ｆ１０の通信シーケンスと同様に、フェーズＦ１１〜Ｆ１６を行い、送信が終了すれば送信機は受信機にＤＣＮ（切断命令信号）を送信し（フェーズＦ１７）、両機の回線が切断されることになる。
【００１７】
次に、本実施例の通信装置における応答受信動作について当該動作フローを示す図３に従って説明する。
先ず、フラグを受信したか否かを監視し（ステップＳ１０１）、当該フラグを検出した場合は（ステップＳ１０１；ＹＥＳ）、正常にフレームを受信したか否かを判断する（ステップＳ１０２）。正常にフレームを受信した場合は（ステップＳ１０２；ＹＥＳ）受信完了として動作を終了する（ステップＳ１０３）。一方、フラグを検出しなかった場合は（ステップＳ１０１；ＮＯ）、上述したＶｏＩＰモードであるか否かを判断する（ステップＳ１０４）。ＶｏＩＰモードでなければ（ステップＳ１０４；ＮＯ）応答待ちタイマＴ４が３秒経過したかどうかを監視し（ステップＳ１０５）経過していないならば（ステップＳ１０５；ＮＯ）ステップＳ１０１へ戻る。経過していたならば（ステップＳ１０５；ＹＥＳ）受信が失敗したとして動作を終了する（ステップＳ１０９）。一方、ステップＳ１０４でＶｏＩＰモードであれば（ステップＳ１０４；ＹＥＳ）応答待ちタイマＴ４が４．５秒経過したかどうかを監視し（ステップＳ１０６）経過していないならば（ステップＳ１０６；ＮＯ）ステップＳ１０１へ戻る。経過していたならば（ステップＳ１０６；ＹＥＳ）受信が失敗したとして動作を終了する（ステップＳ１１０）。また、ステップＳ１０２で正常にフレームを受信しなかった場合は（ステップＳ１０２；ＮＯ）キャリアが切断されているか否かを監視し（ステップＳ１０７）、キャリアが切断され、かつ２００ｍｓｅｃ経過した場合は受信が失敗したとして動作を終了する（ステップＳ１０７；ＹＥＳ、ステップＳ１０８；ＹＥＳ、ステップＳ１０９）。ここで、ステップＳ１０８で２００ｍｓｅｃ経過でなければ（ステップＳ１０８；ＮＯ）ステップＳ１０７へ戻る。一方、ステップＳ１０７でキャリアが切断されていない場合は（ステップＳ１０７；ＮＯ）応答待ちタイマＴ４が３秒経過したか否かを監視し（ステップＳ１１０）経過していないならば（ステップＳ１１０；ＮＯ）ステップＳ１０２へ戻る。経過していたならば（ステップＳ１１０；ＹＥＳ）切断命令信号であるＤＣＮを送出して回線を解放する（ステップＳ１１１，Ｓ１１２）。
【００１８】
次に、本実施例の通信装置におけるポストメッセージに対する応答動作について当該動作フローを示す図４に従って説明する。
先ず、画情報を受信し（ステップＳ２０１）、引き続きポストメッセージを受信すると（ステップＳ２０２）、それに対するレスポンスができるか否かを判断する（ステップＳ２０３）。可能であると判断した場合は（ステップＳ２０３；ＹＥＳ）、レスポンス（ＮＣＦ／ＲＴＮ／ＰＰＲ等）を送信する（ステップＳ２０７）。一方ポストメッセージに対するレスポンスができないと判断した場合は（ステップＳ２０３；ＮＯ）、ＶｏＩＰモードであるか否かを判断する（ステップＳ２０４）。ＶｏＩＰモードでない場合は（ステップＳ２０４；ＮＯ）上述したようにＴ．３０勧告上で１．５秒以内に応答できない場合に再送を待つように規定されているため、１．５秒経過しているかどうかを監視する（ステップＳ２０５）。１．５秒経過していた場合は（ステップＳ２０５；ＹＥＳ）ステップＳ２０２へ戻りポストメッセージの再送を待ち、一方１．５秒経過していないならば（ステップＳ２０５；ＮＯ）ステップＳ２０３へ戻り応答可能かどうかを再度判断する。また、ステップＳ２０４でＶｏＩＰモードであれば（ステップＳ２０４；ＹＥＳ）、０．５秒経過しているかどうかを監視する（ステップＳ２０６）。０．５秒経過していた場合は（ステップＳ２０６；ＹＥＳ）ステップＳ２０２へ戻りポストメッセージの再送を待ち、一方０．５秒経過していないならば（ステップＳ２０６；ＮＯ）ステップＳ２０３へ戻り応答可能かどうかを再度判断することとなる。このようにすることにより、ポストメッセージとレスポンスの衝突を回避することができる。
【００１９】
次に、図５は本発明のシステム構成を示すブロック図である。つまり、同図は本発明の通信方法によるソフトウェアを実行するマイクロプロセッサ等から構築されるハードウェアを示すものである。同図において、ファクシミリ通信システムはインターフェース（以下Ｉ／Ｆと略す）５１、ＣＰＵ５２、ＲＯＭ５３、ＲＡＭ５４、表示装置５５、ハードディスク５６、キーボード５７及びＣＤ−ＲＯＭドライブ５８を含んで構成されている。また、汎用の処理装置を用意し、ＣＤ−ＲＯＭ５９などの読取可能な記憶媒体には、本発明の通信方法を実行するプログラムが記憶されている。更に、Ｉ／Ｆ５１を介して外部装置から制御信号が入力され、キーボード５７によって操作者による指令又は自動的に本発明のプログラムが起動される。そして、ＣＰＵ５２は当該プログラムに従って上述の通信方法に伴う制御処理を施し、その処理結果をＲＡＭ５４やハードディスク５６等の記憶装置に格納し、必要により表示装置５５などに出力する。以上のように、本発明の通信方法を実行するプログラムが記憶した媒体を用いることにより、既存のシステムを変えることなく、通信システムを汎用的に構築することができる。
【００２０】
なお、本発明は上記実施例に限定されるものではなく、特許請求の範囲内の記載であれば多種の変形や置換可能であることは言うまでもない。
【００２１】
【発明の効果】
以上説明したように、本発明の通信装置は、ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を着信応答時に発信側に通知する通信制御部を有している。よって、通信装置が設置されている通信網の形態に合わせて、適正にモデムを動作でき、通信品質を確保できる。
【００２２】
また、通信制御部は、発信時にＶｏＩＰ網やＴＤＭ等の公衆電話交換網以外における信号変換が行なわれる通信網が介在する旨の通知を着信側から受けた場合には、Ｔ．３０フレームの到着遅延を考慮して待ち時間を調整する。よって、通信装置が設置されている通信網の形態に合わせて遅延を考慮した通信が行え、通信品質を確保できる。
【００２３】
更に、本発明の通信装置は、ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を発呼時に着信側に通知する通信制御部を有している。よって、通信装置が設置されている通信網の形態に合わせて、適正にモデムを動作でき、通信品質を確保できる。
【００２４】
また、通信制御部は、着信時にＶｏＩＰ網やＴＤＭ等の公衆電話交換網以外における信号変換が行なわれる通信網が介在する旨の通知を発信側から受けた場合には、Ｔ．３０フレームの到着遅延を考慮して待ち時間を調整する。よって、通信装置が設置されている通信網の形態に合わせて遅延を考慮した通信が行え、通信品質を確保できる。
【００２５】
また、他の発明としての本発明の通信方法によれば、ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を着信応答時に発信側に通知する。よって、通信装置が設置されている通信網の形態に合わせて、適正にモデムを動作でき、通信品質を確保できる。
【００２６】
また、発信時にＶｏＩＰ網やＴＤＭ等の公衆電話交換網以外における信号変換が行なわれる通信網が介在する旨の通知を着信側から受けた場合には、Ｔ．３０フレームの到着遅延を考慮して待ち時間を調整する。よって、通信装置が設置されている通信網の形態に合わせて遅延を考慮した通信が行え、通信品質を確保できる。
【００２７】
更に、別の発明の通信方法によれば、ＶｏＩＰ網やＴＤＭ等の公衆電話交換網以外における信号変換が行なわれる通信網が介在する旨の設定を使用者に対して許容し、ＶｏＩＰ網やＴＤＭ等の公衆電話交換網以外における信号変換が行なわれる通信網が介在する旨を発呼時に着信側に通知する。よって、通信装置が設置されている通信網の形態に合わせて、適正にモデムを動作でき、通信品質を確保できる。
【００２８】
また、着信時にＶｏＩＰ網やＴＤＭ等の公衆電話交換網以外における信号変換が行なわれる通信網が介在する旨の通知を発信側から受けた場合には、Ｔ．３０フレームの到着遅延を考慮して待ち時間を調整する。よって、通信装置が設置されている通信網の形態に合わせて遅延を考慮した通信が行え、通信品質を確保できる。
【００２９】
更に、別の発明として、上記記載の通信方法を実行するためのプログラムを格納したコンピュータ読み取り可能な記録媒体に特徴がある。よって、既存のシステムを変えることなく、通信システムを汎用的に構築することができる。
【図面の簡単な説明】
【図１】
本発明の一実施例に係る通信装置の構成を示すブロック図である。
【図２】
本実施例の通信装置における通信シーケンスを示す図である。
【図３】
本実施例の通信装置における応答受信動作を示すフローチャートである。
【図４】
本実施例の通信装置におけるポストメッセージに対する応答動作を示すフローチャートである。
【図５】
本発明のシステム構成を示すブロック図である。
【符号の説明】
１００；通信装置、１０１；読取部、１０２；記録部、
１０３；符号化復号化部、１０４；システム制御部、１０５；システムメモリ、
１０６；画情報メモリ、１０７；操作表示部、１０８；通信制御部、
１０９；モデム、１１０；ＳＷ部、１１１；システムバス。
【手続補正２】
【補正対象書類名】図面
【補正対象項目名】図１
【補正方法】変更
【補正の内容】
【図１】
2004289212.tif 000001